(57)【要約】【課題】本発明は、筺体寸法が小さくでき、追加部材なしでキー部材のビビリ音が発生しない携帯端末を提供することにある。【解決手段】通常状態(サイドキー３００における押圧部３０１が外部から押圧されていない状態)において、サイドキー３００は、キーパッキン４００の凸部４０３の弾性力によって、抜け止め部３０５がバックケース２００の抜け止め平面部２０３に当接し、爪部３０３がフロントカバー１００の爪掛り部１０４に当接すると共に、突起部３０２がキーパッキン４００から離間した状態(ダイヤフラムスイッチに圧力がかからない状態)で配置される。この通常状態において、本体内部に配置されたバイブレータ部(不図示)、スピーカー部(不図示)によりサイドキー部周囲筺体に振動が生じた場合、抜け止め部３０５がフロントカバー１００又はバックケース２００の抜け止め平面部２０３に当接しているので、ビビリ音は発生しない。【選択図】図８
2014179722.tif 000002
【特許請求の範囲】
【請求項１】
本発明に係る携帯端末装置は、
上ケースと、
前記上ケースに構成される第１貫通孔と、
前記上ケースに構成される第１切り欠き部と、
前記上ケースに構成される前記貫通孔を挟んで対向して配置される爪掛り部と、
前記上ケースに収容されるキー基板と、
前記キー基板に実装されると共に、前記第１貫通孔に対向して配置されるスイッチ部と、
前記上ケースに嵌合する下ケース部材と、
前記下ケースに構成される、前記第１切り欠き部に並べて配置される第２切り欠き部と、
前記上ケースに取り付けられるキー部材と、
前記キー部材に構成される、前記第１貫通孔に挿入される突起部と、
前記キー部材に構成される、前記爪掛り部に嵌合する爪部と、
前記キー部材に構成される、前記突起部に周囲に構成されるリブと、
前記キー部材に構成される、前記上ケースの第１切り欠き部と前記下ケースの第２切り欠き部で形成される貫通孔を介して外側に露出される押圧部と、
前記上ケースに取り付けられるキーシート部材と、
前記キーシート部材に構成される、前記スイッチ部と前記突起部との間に配置され前記第１貫通孔に挿入される挿入部と、
前記キーシート部材に構成される、前記上ケースと前記キー部材の間に配置される第１平面部と、
前記キーシート部材に構成される、前記第１平面部から隆起し、前記キー部材のリブに当接される凸部と、
を備える携帯端末装置。
【請求項２】
前記下ケースに構成される、前記上ケースに突出するリブと、
前記キー部材に構成される、前記下ケースのリブが挿入される第３切り欠き部と、
を備える請求項１に記載の携帯端末装置。
【請求項３】
前記下ケースに構成される、前記第２切り欠き部の外縁の内面に形成された平らな抜け止め平面部と、
前記キー部材に構成される、前記押圧部の外縁に形成され前記下ケースの抜け止め平面部における内面に当接可能な抜け止め部と、
を備える請求項１に記載の携帯端末装置。
【請求項４】
前記キーシート部材に構成される、前記凸部の外周の第２平面と、その第２平面を横断する溝と、
を備える請求項１に記載の携帯端末装置。
【発明の詳細な説明】
【技術分野】
【０００１】
本発明は、キーを有する防水携帯端末装置に関する。
【背景技術】
【０００２】
従来、防水携帯端末装置のキーは、フロントカバーに貫通孔を備え、貫通孔にキーパッキンが挿入されることで防水され、キーパッキンを介して筺体内部のダイヤフラムスイッチを押下するキー部材がフロントカバーとバックケースの間に配置されたものが知られている。
【０００３】
しかしながら、特許文献１に示すように、キーをフロントカバーとバックケースの間に配置した場合には、キーが動くスペース分の隙間を設ける必要があるため、キーは電子機器の振動によりビビリ音が発生する。
【０００４】
このため、特許文献１は、キーの抜け止め部がバックケースにおける内面に当接した状態となるようなキーを、バックケースにおける内面に向かうよう付勢するスポンジ部材と、を備える。
【先行技術文献】
【特許文献】
【０００５】
【特許文献１】特開２０１２−１１４６０９号公報
【発明の概要】
【発明が解決しようとする課題】
【０００６】
しかしながら、防水携帯端末装置では、フロントカバー側面の貫通孔にキーの突起部(押し子部)を挿入する必要があるためフロントカバー側面から組み立てる必要がある。従来の携帯端末装置では、キーのフランジをバックケース、又は、別部品で抑え込む構成としている。そのため、キー部材の押圧部周囲には、バックケース、又は、別部材を構成するための寸法が必要となる。
【０００７】
また、キー部材をバックケースにおける内面に向かうよう付勢するスポンジ部材を追加部材として設けるため、追加部材の取り付け作業が必要となり、組立作業簡素化の障害となる。
【０００８】
本発明の目的は、筺体寸法が小さくでき、追加部材なしでキー部材のビビリ音が発生しない携帯端末を提供することにある。
【課題を解決するための手段】
【０００９】
本発明に係る携帯端末装置は、上ケースと、前記上ケースに構成される第１貫通孔と、前記上ケースに構成される第１切り欠き部と、前記上ケースに構成される前記貫通孔を挟んで対向して配置される爪掛り部と、前記上ケースに収容されるキー基板と、前記キー基板に実装されると共に、前記第１貫通孔に対向して配置されるスイッチ部と、前記上ケースに嵌合する下ケース部材と、前記下ケースに構成される、前記第１切り欠き部に並べて配置される第２切り欠き部と、前記下ケースに構成される、前記第２切り欠き部の外縁の内面に形成された平らな抜け止め平面部と、前記下ケースに構成される、前記上ケースに突出するリブと、前記上ケースに取り付けられるキー部材と、前記キー部材に構成される、前記第１貫通孔に挿入される突起部と、前記キー部材に構成される、前記爪掛り部に嵌合する爪部と、前記キー部材に構成される、前記突起部に周囲に構成されるリブと、前記キー部材に構成される、前記上ケースの第１切り欠き部と前記下ケースの第２切り欠き部で形成される貫通孔を介して外側に露出される押圧部と、前記キー部材に構成される、前記押圧部の外縁に形成され前記下ケースの抜け止め平面部における内面に当接可能な抜け止め部と、前記キー部材に構成される、前記下ケースのリブが挿入される第３切り欠き部と、前記上ケースに取り付けられるキーシート部材と、前記キーシート部材に構成され、前記スイッチ部と前記突起部との間に配置され前記第１貫通孔に挿入される挿入部と、前記キーシート部材に構成される、前記上ケース部材と前記キー部材の間に配置される第１平面部と、前記キーシート部材に構成される、前記第１平面部から隆起し、前記キー部材のリブに当接される凸部と、前記キーシート部材に構成される、前記凸部の外周の第２平面と、その第２平面を横断する溝と、を備えたものである。
【発明の効果】
【００１０】
本発明の携帯端末は、フロントカバー側面の貫通孔へ外側から挿入する防水のキー構造において、キーに抜け止めのフランジの代わりに爪を設けることで、キーを取り付けた後にフランジを受けるためのバックケースまたは別部材を重ねる構成が不要となるため、筺体肉厚に相当する筺体寸法を小さくできる。
【００１１】
また、キーパッキンに弾性力を付勢する凸形状を設けることで、キー部材に弾力性を付勢する構造をキー部材の押圧部の平面サイズ内に設け、また、別部材を設けることなくビビリ音が抑制された携帯端末装置を提供することができる。
【図面の簡単な説明】
【００１２】
【図１】本発明に係る携帯端末を表面側から見た状態を示す斜視図
【図２】図１の携帯端末を表面側から見た状態の分解斜視図
【図３】図１の携帯端末のフロントカバーの斜視図
【図４】図１の携帯端末のバックケースの斜視図
【図５】図１の携帯端末のキー部材の斜視図
【図６】図１の携帯端末のキーパッキンの斜視図
【図７】図２のＩ−Ｉ線断面図
【図８】図２のＩＩ−ＩＩ線断面図
【図９】図２のＩ−Ｉ線断面図においてキーを押した状態を示す断面図
【発明を実施するための形態】
【００１３】
以下、本発明の実施形態に係る携帯端末装置１について図面を参照して説明する。
【００１４】
図１、図２に示すように、本発明の実施形態である携帯端末装置１は、表示部２、操作キー３、通信端子４、フロントカバー１００と、バックケース２００と、フロントカバー１００とバックケース２００の側面に配置されるサイドキー３００を備えている。
【００１５】
フロントカバー１００は、略矩形体状に形成され、フロントカバー１００の表面に設けられた表示部２と、表示部２の下方に設けられた操作キー３と、筐体の側面に設けられたサイドキー３００とから主に構成される。
【００１６】
図３に示すように、フロントカバー１００の内部にはフレキシブル基板５が設置されるリブ１０１と、サイドキー３００を収納する切り欠き部１０２と、切り欠き部１０２内に貫通孔１０３と、貫通孔周囲の平面部１０５と、切り欠き部１０２に並んで配置される爪掛り部１０４と、を有している。
【００１７】
リブ１０１は、貫通孔１０３に対向して配置されフレキシブル基板５を固定する。フレキシブル基板５には図７に示すように、ダイヤフラムスイッチ６が設けられている。フレキシブル基板５は、貫通孔１０３に対向して配置される。
【００１８】
切り欠き部１０２は、サイドキー３００の押圧部３０１をオフセットした形状で、サイドキー３００を収納する。
【００１９】
貫通孔１０３は、キーパッキン４００の挿入部４０１を同心円状に固定する開孔である。キーパッキン４００には、ダイヤフラムスイッチ６に対向した位置に、サイドキー３００の突起部３０２(押し子リブ)を受ける肉厚部４０２が設けられている。
【００２０】
爪掛り部１０４は、切り欠き部１０２に図３に示すように段差を設ける様に切り欠く。サイドキー３００は、貫通孔１０３にサイドキー３００の突起部３０２を挿入すると同時に、外側からサイドキー３００の爪部３０３と嵌め合うことでサイドキー３００が外側の抜ける方向に移動することを規制する。
【００２１】
図４に示すように、バックケース２００には、サイドキー３００を収納する切り欠き部２０１と、切り欠き部２０１へ突出するリブ２０２と、平らな抜け止め平面部２０３と、を有している。
【００２２】
切り欠き部２０１は、フロントカバー１００で構成出来ない場合にサイドキー３００の押圧部３０１のオフセットした形状の一部を構成し、サイドキー３００を収納する。
【００２３】
リブ２０２は、サイドキー３００の切り欠き部３０７に爪部３０３の爪掛り部背面３０４に対向する位置に挿入されることで、製品状態でサイドキー３００の爪部３０３が外れる方向に撓むことを規制する。サイドキーの爪が衝撃で容易に外れない場合は、リブ２０２は必ずしも必要ではない。
【００２４】
抜け止め平面部２０３は、バックケース２００の切り欠き部２０１の内側面にサイドキー３００の抜け止め部３０５(フランジ部)に対向して設けられている。
【００２５】
図５に示すように、サイドキー３００には、フロントカバー１００の貫通孔１０３に挿入される突起部３０２と、フロントカバー１００に嵌合する爪部３０３、キーパッキン４００の凸部４０３に当接するリブ３０６、フロントカバー１００とバックケース２００の外側に露出する押圧部３０１、バックケース２００の抜け止め平面部２０３に当接して収納される抜け止め部３０５、バックケース２００のリブ２０２が挿入される切り欠き部３０７と、を有している。
【００２６】
押圧部３０１は、フロントカバー１００の切り欠き部１０２とバックケース２００の切り欠き部２０１とで構成される本体側面穴形状のオフセット形状とする事で位置規制される。なお、押圧部３０１はフロントカバー１００の側面のみで構成される穴のオフセット形状でも良い。
【００２７】
突起部３０２(キー押し子部)は、フロントカバー１００の貫通孔１０３に挿入されるキーパッキン４００の挿入部４０１の中空部４０４に挿入されことで、位置が規制される。突起部３０２の先端はＲ形状が設けられている。
【００２８】
爪部３０３は、フロントカバー１００の爪掛り部１０４に接することで本体外観面からの押圧部３０１の突出量を規制する。
【００２９】
爪掛り部背面３０４は、製品状態でバックケースのリブ２０２に対し離間し配置される。
【００３０】
抜け止め部３０５は、バックケース２００の抜け止め平面部２０３に対向した位置に設けられている。本体側面穴形状がフロントカバー１００のみで構成される場合は、抜け止め部３０５は必ずしも必要ではない。
【００３１】
リブ３０６は、キーパッキン４００の凸部４０３に当接する位置に全体的に、もしくは、部分的に配置される。
【００３２】
切り欠き部３０７は、バックケース２００から突出するリブ２０２から爪が衝撃で外れない程度の距離で離間している。
【００３３】
図６に示すように、キーパッキン４００には、フロントカバー１００貫通孔に挿入される挿入部４０１と、フロントカバー１００の貫通孔１０３の周囲の平面部１０５に当接する第１平面部４０５と、第１平面部４０５の周囲に構成された、サイドキー３００のリブ３０６とフロントカバー１００の平面部１０５の間に配置され、サイドキー３００のリブ３０６に当接し、フロントカバー１００の１０５平面にキーストロークの距離以上離間した凸部４０３と、凸部４０３の外周のフロントカバー１００の平面部１０５に当接する第２平面部４０６を横断する溝部４０７と、を有している。溝部４０７は、フロントカバー１００の平面部１０５と凸部４０３の間の空間の気体が外側に容易に抜け出ることが出来る形状であれば、必ずしも４か所必要ではない。
【００３４】
挿入部４０１は、フロントカバー１００の貫通孔１０３に当接し、サイドキー３００の突起部３０２と離間している。
【００３５】
第１平面部４０５、第２平面部４０６は、フロントカバー１００の平面部１０５に当接する位置に配置することで、キーパッキン４００の位置をフロントカバー１００の平面部１０５に当接した位置に規制する。第１平面部４０５、第２平面部４０６は、凸部４０３によって、構成されている。
【００３６】
凸部４０３は、サイドキー３００のリブ３０６に当接し配置する。なお、リブ３０６と凸部４０３の全体に配置することが望ましいが、部分的な配置でも可能である。逆に、凸部４０３は、リブ３０６の部分的な配置でも可能である。
【００３７】
溝部４０７は、フロントカバー１００の平面部１０５と密着しない深さが設けられている。
【００３８】
凸部内側面４０８は、フロントカバー１００の平面部１０５とキーストローク以上の寸法を離間している。
【００３９】
続けて、図７から図９により、携帯端末装置１における作用について説明する。図７と図８は、携帯端末装置１における無操作時の状態を説明する断面図である。図９は、携帯端末装置１における操作(押圧時)時を説明する断面図である。
【００４０】
図７、図８に示すように、通常状態(サイドキー３００における押圧部３０１が外部から押圧されていない状態)において、サイドキー３００は、キーパッキン４００の凸部４０３の弾性力によって、抜け止め部３０５がバックケース２００の抜け止め平面部２０３に当接し、爪部３０３がフロントカバー１００の爪掛り部１０４に当接すると共に、突起部３０２がキーパッキン４００から離間した状態(ダイヤフラムスイッチに圧力がかからない状態)で配置される。
【００４１】
この通常状態において、本体内部に配置されたバイブレータ部(不図示)、スピーカー部(不図示)によりサイドキー部周囲筺体に振動が生じた場合、抜け止め部３０５がフロントカバー１００又はバックケース２００の抜け止め平面部２０３に当接しているので、ビビリ音は発生しない。
【００４２】
ここで、突起部３０２がキーパッキン４００から離間しているので、部品のばらつきを原因としたサイドキー３００がダイヤフラムスイッチ６を常時押下する、又は、微小な振動で押下してしまう状態となるという問題の発生を抑制できる。
【００４３】
また、サイドキー３００がキーパッキン４００の凸部４０３の弾性力によって抜け止め部３０５がバックケース２００の抜け止め平面部２０３に当接するように付勢されるので、部品のばらつきで生じた寸法誤差により抜け止め部３０５がバックケース２００の抜け止め平面部２０３から離間することが抑制される。つまり、部品のばらつきが生じた場合でもビビリ音の発生を、操作性に影響を及ぼさずに抑制できる。
【００４４】
次いで、図９に示すように、ユーザは、サイドキー３００の押圧部３０１を矢印Ｆ１方向に押圧（押下）する。押圧部を矢印Ｆ１方向に押圧（押下）されたサイドキー３００は、矢印Ｄ１方向に移動される。サイドキー３００は、キーパッキン４００の凸部４０３を変形しながら矢印Ｄ１方向に移動される。
【００４５】
そして、サイドキー３００における突起部３０２は、中空部４０４の底面の肉厚部４０２（サイドキーパッキン）に当接すると共にリブ３０６の部分を押し下げる。これにより、突起部３０２は、キーパッキン４００における中空部４０４の底面の肉厚部４０２に対応する部分を介して、ダイヤフラムスイッチ６を押圧（押下）する。
【００４６】
ここで、サイドキー３００を矢印Ｄ１方向に移動させるために必要な押圧力の強さは、キーパッキン４００の凸部４０３により生じている弾性力の強さと同じである。
【００４７】
キーパッキン４００の凸部４０３は、サイドキー３００のリブ３０６とフロントカバー１００との間に配置され、キーパッキン４００の凸部４０３とフロントカバー１００はキーストローク距離以上、離間している。
【００４８】
仮に、キーパッキン４００の凸部内側面４０８とフロントカバー１００がキーストローク距離以上離間していないキーパッキン４００を用いた場合、サイドキー３００がキーパッキン４００の凸部内側面４０８とフロントカバー１００が当接する位置まで押下されると、キーパッキン４００の凸部４０３がサイドキー３００のリブ３０６を規制するため、ダイヤフラムスイッチ６を押下するためには、非常に強い押圧力が必要になる場合がある。
【００４９】
逆に、キーパッキン４００の凸部内側面４０８とフロントカバー１００がキーストローク距離に加えて部品のばらつき距離を考慮し離間することで、ダイヤフラムスイッチ６を過剰な力で押下することでダイヤフラムスイッチ６を破損することを抑制する効果をもたらすことができる。
【００５０】
続けて、図７，８に示すように、ユーザは、サイドキー３００に対する押圧を解除する（例えば、押圧操作していた指を押圧部から離す）。押圧が解除されたサイドキー３００は、キーパッキン４００の凸部４０３の弾性力により、矢印Ｄ２方向に移動される。そして、サイドキー３００は、初期状態にもどる。
【００５１】
つまり、サイドキー３００は、キーパッキン４００の凸部４０３の弾性力によって、抜け止め部３０５がバックケース２００の抜け止め平面部２０３に当接すると共に、突起部３０２がキーパッキン４００（肉厚部４０１）から離間した状態となる位置に戻る。
【００５２】
これにより、ユーザによる押圧が解除された場合でも、サイドキー３００は自動的に初期状態にもどるので、ビビリ音の発生等が定常的に好適に抑制される。
【００５３】
本実施形態によれば、キーパッキン４００の凸部４０３の弾性力によって抜け止め平面部２０３がバックケース２００の抜け止め部３０５の内面に常時当接するように構成されるので、携帯端末装置１は、バイブレータ、スピーカー部等により発生された振動によるビビリ音（ビリツキ音）の発生を抑制できる。
【００５４】
また、本実施形態によれば、携帯端末装置１は、構成部材等に寸法誤差が生じた場合であってもキーパッキン４００の凸部４０３の弾性力によって抜け止め部３０５がバックケース２００の抜け止め平面部２０３に常時当接するように構成されるので、ビビリ音の発生を好適に抑制できる。
【００５５】
また、本実施形態によれば、突起部３０２がキーパッキン４００（肉厚部４０２）から離間した状態で配置されるので、携帯端末装置１は、構成部材等の寸法誤差が生じた場合に発生するダイヤフラムスイッチ６の意図しない押下を抑制できる。
【００５６】
また、本実施形態によれば、上述の通り、寸法誤差により生じる問題の発生が抑制されるので、携帯端末装置１の設計や製造において、従来よりも寸法公差を大きくすることができる。これにより、設計の自由度が向上する。また、これにより、製造への負担が軽減される。
【００５７】
また、本実施形態によれば、キーパッキン４００の凸部４０３の弾性力によって抜け止め部３０５がバックケース２００の抜け止め平面部２０３の内面に常時当接するように構成されるため、キーパッキン４００の凸部４０３とフロントカバー１００がキーストローク距離以上離間していれば、ストローク距離に影響なく押下時の反発力は、クッションなどの距離に比例して反発力が増す部材に比べて小さい。
【００５８】
以上、好適な実施形態について説明したが、本発明は上述した実施形態に限定されることなく種々の形態で実施することができる。例えば、本実施形態において、携帯端末装置１としてスマートフォンについて説明しているが、これに限定されず、携帯端末装置１は、携帯電話、タブレット、ノートパソコン等であってもよい。
【００５９】
また、本実施形態において、サイドキー３００について説明しているが、これに限定されない。
【００６０】
また、本実施形態おいて、サイドキー３００における押圧部３０１は、フロントカバー１００に形成された切り欠き部１０２に挿通されている。ここで、サイドキー３００における押圧部３０１が挿通されるのは、切り欠き部１０２に限定されず、バックケース２００等に形成された貫通孔であってもよい。
【００６１】
また、本実施形態おいて、キーパッキンにおける溝は、フロントカバー１００に配置してもよい。
【００６２】
なお、本発明に係る携帯端末装置は、前述した実施形態に限定されるものではなく適宜変更、改良等が可能である。
【００６３】
例えば、実施形態で使用した携帯端末装置、筐体、貫通孔、キーパッキンおよびキートップの形状や構成は例示したものに限定するものではなく適宜変更が可能である。
【産業上の利用可能性】
【００６４】
本発明は、キー有する防水携帯端末等への適用に好適である。
【符号の説明】
【００６５】
１    携帯端末装置
２    表示部
３    操作キー
４    通信端子
５    フレキシブル基板
６    ダイヤフラムスイッチ
１００    フロントカバー(前ケース)
１０１    リブ
１０２、２０１、３０７    切り欠き部
１０３    貫通孔
１０４    爪掛り部
１０５    平面部
２００    バックケース(後ケース)
２０２    リブ
２０３    抜け止め平面部
３００    サイドキー(キー部材)
３０１    押圧部
３０２    突起部
３０３    爪部
３０４    爪掛り部背面
３０５    抜け止め部
３０６    リブ
４００    キーパッキン(キーシート)
４０１    挿入部
４０２    肉厚部
４０３    凸部
４０４    中空部
４０５    第１平面部
４０６    第２平面部
４０７    溝部
４０８    凸部内側面
【図１】
2014179722.tif 000003
【図２】
2014179722.tif 000004
【図３】
2014179722.tif 000005
【図４】
2014179722.tif 000006
【図５】
2014179722.tif 000007
【図６】
2014179722.tif 000008
【図７】
2014179722.tif 000009
【図８】
2014179722.tif 000010
【図９】
2014179722.tif 000011